(57)【要約】      （修正有）【課題】電気装置及び交流電源と電気接続する発光と直流変換機能を備える電源切り換え構造を提供する。【解決手段】変換モジュール１２を内設され、かつ交流電源と電気接続していて、交流電気を直流電気に変換するハウジング１１と、それぞれ電気装置と、交流電源と、変換モジュールと電気接続され、電気装置の使用態様の切り換えに備え、電気装置の使用態様に従って、直流電源の出力を切り換えるスイッチと、制御スイッチ１３と電気接続され、直流電源によって駆動し発光する第１光源モジュール１４と、を備える。【選択図】図１
0003174643.tif 000002
【実用新案登録請求の範囲】
【請求項１】
電気装置及び交流電源と電気接続する発光と直流変換機能を備える電源切り換え構造であって、
フレームと、取付部とを有し、前記取付部は前記フレームの中央部に位置するハウジングと、
前記ハウジングに内設され、交流電源と電気接続され、交流電源を直流電源の変換に備える変換モジュールと、
前記取付部に設けられ、それぞれ電気装置と、前記交流電源と、前記変換モジュールとを電気接続していて、前記電気装置の使用態様の切り換えに備える、第１直流電気接点と第２直流電気接点とを有し、前記電気装置の使用状態に従って、直流電源を前記第１直流電気接点または前記第２直流電気接点に出力する制御スイッチと、
第１ＬＥＤ光源を有し、前記第１直流電気接点と電気接続され、直流電源の駆動によって発光する第１光源モジュールと、を備える電源切り換え構造。
【請求項２】
前記第１ＬＥＤ光源の一つの側は第１導光板を設け、前記第１ＬＥＤ光源は直流電源の駆動によって、前記第１導光板を発光させ、かつ前記第１光源モジュールは前記ハウジングに内設され、前記フレームは、前記第１導光板に対応して中空部を設け、前記第１導光板上は少なくとも一つの第１図案層を設け、前記第１ＬＥＤ光源は前記第１図案層を介して、明暗の光線を出射することを特徴とする、請求項１記載の発光と直流変換機能を備える電源切り換え構造。
【請求項３】
さらに前記第１導光板の一つの側に設ける第２ＬＥＤ光源を有し、前記第２ＬＥＤ光源は前記第２直流電気接点と電気接続していて、かつ前記第２ＬＥＤ光源と、前記第１ＬＥＤ光源より異なる光色の光線を出射することを特徴とする、請求項２記載の発光と直流変換機能を備える電源切り換え構造。
【請求項４】
前記切り換えスイッチは例えば、コンデンサー式タッチパネル部または機械式ボタン部のいずれかを選択することを特徴とする、請求項１記載の発光と直流変換機能を備える電源切り換え構造。
【請求項５】
さらに、第２光源モジュールを有し、前記第２光源モジュールは、前記第２直流電気接点と電気接続する第３ＬＥＤ光源を設け、前記第３ＬＥＤ光源の一つの側は第２導光板を設け、前記第３ＬＥＤ光源は直流電源の駆動によって、前記第２導光板を発光させ、前記第２導光板上は少なくとも一つの第２図案層を設け、前記第３ＬＥＤ光源が前記第２図案層を介して、明暗の光線を出射することを特徴とする、請求項１記載の発光と直流変換機能を備える電源切り換え構造。
【考案の詳細な説明】
【技術分野】
【０００１】
本考案は電源スイッチに関し、特に交流電源を直流電源に変換して、光源モジュール及び／または直流電気装置の使用に提供する発光と直流変換機能を備える電源切り換え構造に関する。
【背景技術】
【０００２】
夜間または環境が暗いときに、電源スイッチを簡単に見つけて、スイッチを入れるのを便利するため、公知の電源スイッチ装置は発光源を内設していて、かつその表面には微かな指示光線を出射する小さい窓が設けられている。
【考案の概要】
【考案が解決しようとする課題】
【０００３】
しかし、空間が大きく、または遠く離れた場所にいるとき、その明るさが小さく照度も低ければ、指示光源としては不足である。よって、夜間指示灯を新たに購入して使用するなど、物品とコストの浪費となっている。そのほか、近年は直流電気装置の使用が一般化し、ほとんどは直流電気装置に交流を直流に変換する変換器が内設され、市電の交流電源が稼働の直流電源に変換されている。しかし、このように新たな装置は、浪費を形成し妥当と言えない。
【課題を解決するための手段】
【０００４】
よって、考案者は個人が関連産業における長年の開発経験に基づき、前述欠点について、本考案の発光と直流変換機能を備える電源切り換え構造を考案し、市電の交流電源を稼働用の直流電気に変換すると共に、ハウジングの内側に直流電気を使用するＬＥＤ光源を設け、これに合わせてハウジングの外部表面に導光板を設けて光線を伝搬すると共に、導光板の全部または局所を発光させ、指示効果を形成することによって、公知技術の電源スイッチに微弱光源を使用した欠点を大幅に改善できる。さらに、提供される稼働用の直流電気は、自動的に直流電気装置に直流電源を供給するため、交流を直流に変換する変換器を新たに取り付ける必要はなく、不要な設置を省き、電気使用の品質と環境を抜本的に向上することができる。
【０００５】
本考案の目的は、ハウジングに変換モジュールを内設し、市電の交流電源を直流電源に変換して、交流電気装置及び／または直流電気装置の使用に提供できる、新たに電気変換モジュールを設置する必要がない、発光と直流変換機能を備える電源切り換え構造を提供する。
【０００６】
本考案の次の目的は、ハウジング上に、変換モジュールと電気接続され、直流電気によって発光を駆動する第１光源モジュールを設けられ、第１光源モジュールは、第１ＬＥＤ光源と、第２ＬＥＤ光源とを有し、２つのＬＥＤ光源より異なる光色を出射して、電気装置の使用状態の指示に備える発光と直流変換機能を備える電源切り換え構造を提供する。
【０００７】
本考案もう一つの目的は、発光の指示効果を強化するための第２光源モジュールが設けられている、発光と直流変換機能を備える電源切り換え構造を提供する。
【０００８】
前述目的を達成するため、本考案の電気装置と、交流電源と電気接続する電気装置及び交流電源と電気接続する発光と直流変換機能を備える電源切り換え構造は、フレームと取付部とを有し、取付部はフレームの中央部に位置するハウジングと、ハウジングに内設され、かつ交流電源に接続され、交流電源を直流電源に変換する変換モジュールと、取付部に設けられ、それぞれ電気装置と、交流電源と、変換モジュールとを電気接続していて、電気装置の使用状態を切り換え、かつ第１直流電気接点と第２直流電気接点をさらに設けられ、電気装置の使用状態によって、直流電源を第１直流電気接点または第２直流電気接点に出力させる制御スイッチと、ハウジングに内設され、第１直流電気接点と電気接続され、直流電源の駆動によって発光する第１光源モジュールと、を備える。そのうち、第１光源モジュールは第１直流電気接点と電気接続する第１ＬＥＤ光源を設け、第１ＬＥＤ光源の一つの側は、第１導光板を設け、第１ＬＥＤ光源は直流電源の駆動によって、第１導光板を発光させる。そのうち、第１光源モジュールは、ハウジングに内設され、フレームは第１導光板を設置するための中空部がさらに設けられている。
【０００９】
電気装置の使用状態をオフにしたとき、第１ＬＥＤ光源は電気導通の状態を形成すると共に、第１導光板上に設けられた少なくとも一つの第１図案層を介して、第１ＬＥＤ光源がこの図案層に明暗の光線を形成する。
【００１０】
操作使用インターフェスの利便性を図るため、制御スイッチは例えば、コンデンサー式タッチパネル部、または機械式ボタン部のいずれかを選択することができる。
【００１１】
電気装置の使用状態を区別するため、第１導光板の一つの側は、第２ＬＥＤ光源をさらに設け、第２ＬＥＤ光源は第２直流電気接点と電気接続していて、第２ＬＥＤ光源と第１ＬＥＤ光源に異なる光色の光線を出射させる。
【００１２】
さらに、電気装置の使用状態の表示を一層明確にさせるため、第２光源モジュールをさらに設け、第２光源モジュールは第３ＬＥＤ光源を有し、第２直流電気接点に接続されている。第３ＬＥＤ光源の一つの側は、第２導光板を設け、直流電源の駆動によって発光するとき、光線は第２導光板を介して発光される。さらに、第２導光板上は少なくとも一つの第２図案層を設け、第３ＬＥＤ光源は第２図案層を介して、明暗の光線を形成する。
【考案の効果】
【００１３】
本考案の発光と直流変換機能を備える電源切り換え構造の効果は、第１ＬＥＤ光源と、第２ＬＥＤ光源と、第１導光板を利用し、電気装置の切り換え状態の指示機能を提供する。さらに、電気装置がオフされたとき、第１ＬＥＤ光源は自動的に始動され、夜間または環境が暗いときの照明指示の効果を提供でき、使用の利便性を大幅に向上できる。このほか、電気装置の使用状態の表示を一層明確させるため、第３ＬＥＤ光源と第２導光板をさらに設けて発光することによって、電気装置の使用状態を表示できるほか、難聴者の生活に応用するなど、視覚器官に指示機能を提供することができる。
【図面の簡単な説明】
【００１４】
【図１】本考案の構造分解図である。
【図２】本考案のハードウェアのブロック図である。
【図３Ａ】本考案一実施例の実施態様図（その１）である。
【図３Ｂ】本考案一実施例の実施態様図（その２）である。
【図４Ａ】本考案もう一つの実施例の実施態様図（その１）である。
【図４Ｂ】本考案もう一つの実施例の実施態様図（その２）である。
【考案を実施するための形態】
【００１５】
本考案の内容のさらなる理解を図るため、下記の説明に図式を組み合わせ、参考に供する。
【実施例】
【００１６】
図１〜３Ｂ、本考案の実施例の構造分解図、ハードウェアのブロック図、実施態様図（その１）と（その２）を参照する。図示のように、本考案の発光と直流変換機能を備える電源切り換え構造１は、電気装置２と、交流電源３と電気接続されている。ハウジング１１と、変換モジュール１２と、制御スイッチ１３と、第１光源モジュール１４と、を備える。
【００１７】
そのうち、ハウジング１１はフレーム１１１と、取付部１１２とを有し、かつ取付部１１２はフレーム１１１の中央部に位置する。
【００１８】
変換モジュール１２はハウジング１１に内設され、交流電源を直流電源の変換に備える交流電源と電気接続されている。特に注意したいことは、電気装置２は直流電源を受け入れて駆動するか、またはそのまま交流電源を使用して稼働することができる。
【００１９】
制御スイッチ１３は取付部１１２に設けられ、制御スイッチ１３はそれぞれ電気装置２と、交流電源３と、変換モジュール１２とを電気接続され、電気装置２の使用態様の切り換えに備える。制御スイッチ１３は第１直流電気接点１３３と第２直流電気接点１３４とを有し、電気装置２の使用状態に従って、直流電源を第１直流電気接点１３３または第２直流電気接点１３４に出力させる。特に注意すべきことは、使用の融通性と利便性を向上するため、制御スイッチ１３は機械式ボタン部１３１を実施する。
【００２０】
そのうち、第１光源モジュール１４は第１直流電気接点１３３と電気接続する第１ＬＥＤ光源１４１を有し、かつ第１ＬＥＤ光源１４１の一つの側は、第１導光板１４２を設け、直流電源の駆動によって発光するとき、光線は第１導光板１４２を介して発光される。特に注意すべきことは、第１光源モジュール１４はハウジング１１に内設していて、かつフレーム１１１はさらに中空部１１３を設けることによって、第１導光板１４２を中空部１１３の内部に貼り付けられ、かつ第１導光板１４２上は少なくとも一つの第１図案層１４４を設け、第１ＬＥＤ光源１４１が第１図案層１４４を介して明暗の光線を形成することができる。
【００２１】
引き続き、図３Ａと図３Ｂを参照する。図に示すように、電気装置２の稼働状態の表示を強化するため、さらに第２ＬＥＤ光源１４３を第１導光板１４２の一つの側に設け、かつ第２ＬＥＤ光源１４３は第２直流電気接点１３４と電気接続することによって、第２ＬＥＤ光源１４３と第１ＬＥＤ光源１４１が異なる光色の光線を出射できる。よって、電気装置２が稼働状態のとき、第２ＬＥＤ光源１４３は起動され、緑光を発光するが、第１ＬＥＤ光源１４１はオフ状態である。これに対して、電気装置２が休止状態のとき、第２ＬＥＤ光源１４３もオフ状態であり、第１ＬＥＤ光源１４１はオン状態にて、赤色の光線が発光される。
【００２２】
もう一つの実施態様において、本考案の発光と直流変換機能を備える電源切り換え構造１の応用面をさらに広げて、電気装置２の稼働状態の表示機能が強化されている。図４Ａと図４Ｂ、本考案もう一つ実施態様図（その１）と（その２）を参照する。図示のように、第２光源モジュール１５を設けられ、第２光源モジュール１５は、第２直流電気接点１３４に接続する第３ＬＥＤ光源１５１をさらに設け、かつ第３ＬＥＤ光源１５１の一つの側は、第２導光板１５２を設けられている。直流電源の駆動によって発光するとき、光線は第２導光板１５２を介して発光される。そのうち、第２導光板１５２上は少なくとも一つの第２図案層１５３を設け、第３ＬＥＤ光源１５１が第２図案層１５３を介して明暗の光線を出射すると共に、コンデンサー式タッチパネル部１３２と組み合わせて、電気装置２の稼働状態を制御する。電気装置２が稼働状態のとき、第１導光板１４２は第２ＬＥＤ光源１４３を経由して、緑色の光線を出射し、かつ第２導光板１５２は第３ＬＥＤ光源１５１を経由して、光線を出射することによって、第２導光板１５２上の第２図案層１５３は表示の働きを有し、電気装置２が休止状態のとき、第１ＬＥＤ光源１４１のみが赤光を発光し、指示灯の機能を有する。
【００２３】
前記のとおり、本考案の発光と直流変換機能を備える電源切り換え構造は、第１ＬＥＤ光源と、第２ＬＥＤ光源と、第１導光板と、電気装置の切り換え状態を利用し、第１ＬＥＤ光源が第１導光板を介して発光し、暗い環境に必要な照明効果を提供し、探しと切り換えられた状態の指示効果を提供できる。このほか、全体の使用の利便性を向上するため、さらにコンデンサー式タッチパネル部または機械式ボタン部が組み合わされている。電気装置の使用状態の表示を強化するため、第３ＬＥＤ光源と第２導光板とをさらに設け、その発光効果によって、電気装置の使用状態を指示できる。応用面をさらに広げて視覚感覚の知らせ機能を強化し、難聴者または騒音場所の使用者に電気装置の使用状態を知らせる。
【符号の説明】
【００２４】
１      発光と直流変換機能を備える電源切り換え構造
１１    ハウジング
１１１  フレーム
１１２  取付部
１１３  中空部
１２    変換モジュール
１３    制御スイッチ
１３１  機械式ボタン部
１３２  コンデンサー式タッチパネル部
１３３  第１直流電気の接点
１３４  第２直流電気の接点
１４    第１光源モジュール
１４１  第１ＬＥＤ光源
１４２  第１導光板
１４３  第２ＬＥＤ光源
１４４  第１図案層
１５    第２光源モジュール
１５１  第３ＬＥＤ光源
１５２  第２導光板
１５３  第２図案層
２      電気装置
３      交流電源
【図１】
0003174643.tif 000003
【図２】
0003174643.tif 000004
【図３Ａ】
0003174643.tif 000005
【図３Ｂ】
0003174643.tif 000006
【図４Ａ】
0003174643.tif 000007
【図４Ｂ】
0003174643.tif 000008